【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
イヤホン組立体であって、
外耳道への音の音響的伝達のためのノズルを有する後部密閉型ハウジングを含み、
前記ノズルの外部に取り外し可能に取り付けられたスリーブであって、前記外耳道を音響的に密封するためのスリーブを含み、
前記後部密閉型ハウジング内に設けられた静電型変換器を含み、前記静電型変換器は、    導電層を備えた振動板を有し、
各々が前記振動板のそれぞれの面と接触状態にある１対の振動板リングを有し、前記１対の振動板リングのうちの少なくとも一方は、前記振動板の前記導電層と電気的接触状態にあり、
１対の固定子板を有し、前記１対の固定子板の各々は、
ＤＣバイアス電圧及び前記１対の振動板リングのうちの一方と電気的接触状態にある外側環状導電性部分を有し、
誘電体層を備えた中央導電性部分を有し、前記中央導電性部分は、ＡＣ音声信号と電気的接触状態にあり、
複数個の穴を有し、
前記１対の固定子板の各々と前記振動板は、前記１対の振動板リングの各々によって離隔され、
前記振動板は、前記ＤＣバイアス電圧及びＡＣ音声信号が供給されたときに前記音を発生させ、
前記音は、前記１対の固定子板の各々の前記複数個の穴を通り、そして前記ノズルを通って出力される、イヤホン組立体。
【請求項２】
前記後部密閉型ハウジングは、
外側ハウジングと、
前記外側ハウジング内に設けられた内側ハウジングとを有し、
前記静電型変換器は、前記内側ハウジング内に設けられている、請求項１記載のイヤホン組立体。
【請求項３】
前記内側ハウジングは、音響ポート及び前記音響ポートを覆って設けられた抵抗スクリーンを有する、請求項２記載のイヤホン組立体。
【請求項４】
前記内側ハウジングは、前記ノズルの内部と嵌合するようになったノズルインターフェースを有し、前記ノズルインターフェースは、前記振動板から前記ノズルへの前記音の音響的伝達のためのものであって前記振動板に対して第１の角度をなして位置決めされ、
前記ノズルは、前記振動板に対して第２の角度をなして位置決めされている、請求項２記載のイヤホン組立体。
【請求項５】
前記静電型変換器は、各々が前記１対の固定子板の各々及び前記後部密閉型ハウジングと接触状態にある１対の密封ガスケットを更に有する、請求項１記載のイヤホン組立体。
【請求項６】
前記ノズルの内部に取り付けられた疎水性の音響ダンパを更に含む、請求項１記載のイヤホン組立体。
【請求項７】
前記１対の固定子板と電気的接触状態にある複数本のリード線を含むケーブル組立体を更に含み、前記複数本のリード線は、前記ＤＣバイアス電圧及び前記ＡＣ音声信号を伝送する、請求項１記載のイヤホン組立体。
【請求項８】
前記１対の固定子板は各々、プリント回路板を含む、請求項１記載のイヤホン組立体。
【請求項９】
前記１対の固定子板の各々は、
前記外側環状導電性部分、前記中央導電性部分、及び前記複数個の穴を有する円形部分と、
前記ＤＣバイアス電圧及び前記ＡＣ音声信号に電気的に接続可能な複数個の接点を有するタブ部分と、
前記複数個の接点を前記外側環状導電性部分及び前記中央導電性部分に電気的に接続する複数個の導電性トレースとを更に有する、請求項１記載のイヤホン組立体。
【請求項１０】
前記後部密閉型ハウジング内の前記静電型変換器と同軸状に設けられた高周波静電型変換器を更に含む、請求項１記載のイヤホン組立体。
【請求項１１】
イヤホンシステムであって、
外耳道への音の音響的伝達のためのノズルを有する後部密閉型ハウジングを含み、
前記ノズルの外部に取り外し可能に取り付けられたスリーブであって、前記外耳道を音響的に密封するためのスリーブを含み、
前記後部密閉型ハウジング内に設けられた静電型変換器を含み、前記静電型変換器は、    導電層を備えた振動板を有し、
各々が前記振動板のそれぞれの面と接触状態にある１対の振動板リングを有し、前記１対の振動板リングのうちの少なくとも一方は、前記振動板の前記導電層と電気的接触状態にあり、
１対の固定子板を有し、前記１対の固定子板の各々は、
ＤＣバイアス電圧及び前記１対の振動板リングのうちの一方と電気的接触状態にある外側環状導電性部分を有し、
誘電体層を備えた中央導電性部分を有し、前記中央導電性部分は、ＡＣ音声信号と電気的接触状態にあり、
複数個の穴を有し、
増幅器を含み、前記増幅器は、
電源から前記ＤＣバイアス電圧を発生させるバイアス電圧供給回路と、
前記増幅器によって受け取った音声入力信号から前記ＡＣ音声信号を発生させる音声信号増幅器回路とを有し、
前記１対の固定子板の各々と前記振動板は、前記１対の振動板リングの各々によって離隔され、
前記振動板は、前記ＤＣバイアス電圧及びＡＣ音声信号が供給されたときに前記音を発生させ、
前記音は、前記１対の固定子板の各々の前記複数個の穴を通り、そして前記ノズルを通って出力される、イヤホンシステム。
【請求項１２】
前記後部密閉型ハウジングは、
外側ハウジングと、
前記外側ハウジング内に設けられた内側ハウジングとを有し、
前記静電型変換器は、前記内側ハウジング内に設けられている、請求項１１記載のイヤホンシステム。
【請求項１３】
前記内側ハウジングは、前記ノズルの内部と嵌合するようになったノズルインターフェースを有し、前記ノズルインターフェースは、前記振動板から前記ノズルへの前記音の音響的伝達のためのものであって前記振動板に対して第１の角度をなして位置決めされ、
前記ノズルは、前記振動板に対して第２の角度をなして位置決めされている、請求項１２記載のイヤホンシステム。
【請求項１４】
前記静電型変換器は、各々が前記１対の固定子板の各々及び前記後部密閉型ハウジングと接触状態にある１対の密封ガスケットを更に有する、請求項１１記載のイヤホンシステム。
【請求項１５】
前記ノズルの内部に取り付けられた疎水性の音響ダンパを更に含む、請求項１１記載のイヤホンシステム。
【請求項１６】
前記１対の固定子板と電気的接触状態にある複数本のリード線を含むケーブル組立体を更に含み、前記複数本のリード線は、前記バイアス電圧供給回路からの前記ＤＣバイアス電圧及び前記音声信号増幅器回路からの前記ＡＣ音声信号を伝送する、請求項１１記載のイヤホンシステム。
【請求項１７】
前記ケーブル組立体は、前記後部密閉型ハウジングとインターフェースするようになった軟質オーバーモールドを含み、前記軟質オーバーモールドは、ひずみ逃がしのためのものである、請求項１６記載のイヤホンシステム。
【請求項１８】
前記１対の固定子板の各々は、
前記外側環状導電性部分、前記中央導電性部分、及び前記複数個の穴を有する円形部分と、
前記バイアス電圧供給回路からの前記ＤＣバイアス電圧及び前記音声信号増幅器回路からの前記ＡＣ音声信号に電気的に接続可能な複数個の接点を有するタブ部分と、
前記複数個の接点を前記外側環状導電性部分及び前記中央導電性部分に電気的に接続する複数個の導電性トレースとを更に有する、請求項１１記載のイヤホンシステム。
【請求項１９】
前記電源は、バッテリ、ＵＳＢポート、又は壁コンセントに接続された電源のうちの１つ又は２つ以上を有する、請求項１１記載のイヤホンシステム。
【請求項２０】
イヤホン組立体であって、
外耳道への音の音響的伝達のためのノズルを有する後部密閉型ハウジングを含み、
前記ノズルの外部に取り外し可能に取り付けられたスリーブであって、前記外耳道を音響的に密封するためのスリーブを含み、
前記後部密閉型ハウジング内に設けられた静電型変換器を含み、前記静電型変換器は、    導電層を備えた振動板を有し、
各々が前記振動板のそれぞれの面と接触状態にある１対の振動板リングを有し、前記１対の振動板リングのうちの少なくとも一方は、前記振動板の前記導電層と電気的接触状態にあり、
永続的電荷を有するエレクトレット層を備えた１対の固定子板を有し、前記１対の固定子板の各々は、
前記１対の振動板リングのうちの一方と電気的接触状態にある外側環状導電性部分と、
ＡＣ音声信号と電気的接触状態にある中央導電性部分と、
複数個の穴とを有し、
前記１対の固定子板の各々と前記振動板は、前記１対の振動板リングの各々によって離隔され、
前記振動板は、前記ＡＣ音声信号が供給されたときに前記音を発生させ、
前記音は、前記１対の固定子板の各々の前記複数個の穴を通り、そして前記ノズルを通って出力される、イヤホン組立体。